(57)【要約】      （修正有）【課題】全体的に重さが配分されて使用者の便宜性が向上する掃除機を提供する。【解決手段】掃除機１は、吸入部５と、前記吸入部５に沿って空気が吸入されるようにするための吸入力を発生させ、回転動作するインペラを含む吸入モータと、前記吸入部を介して流入した空気から埃を分離するためにサイクロン流動を発生させる１つ以上のサイクロン部を備える埃分離部と、前記埃分離部から分離した埃を貯蔵し、前記吸入モータの下方に位置するダストボックス５０と、前記吸入モータに電源を供給し、前記ダストボックス５０の後方に位置するバッテリー４０と、前記吸入モータの後方に配置されるハンドル３０とを含み、前記インペラの回転軸及び前記サイクロン流動の軸は、それぞれ上下方向に延長され、前記インペラの回転軸の延長線は、前記１つ以上のサイクロン部を通過する。【選択図】図１
2020096898.tif 000002
【特許請求の範囲】
【請求項１】
掃除機であって、
吸入部と、
前記吸入部に沿って空気が吸入されるようにするための吸入力を発生させる吸入モータと、
前記吸入部を介して吸入された空気から埃を分離するための第１サイクロン部と、
前記第１サイクロン部から排出された空気から埃を分離するために、並列に配置される多数のサイクロンボディを備える第２サイクロン部と、
前記第２サイクロン部から排出された空気が通過する第１フィルタと、
前記第１フィルタから排出された空気をフィルタリングするための第２フィルタと、を備えてなり、
前記第１フィルタは、前記吸入モータを軸方向及び半径方向で取囲むように配置される、掃除機。
【請求項２】
前記吸入モータは、前記第２サイクロン部の出口より高く位置する、請求項１に記載の掃除機。
【請求項３】
前記第２フィルタは、中央部に空間を形成するリング形態に形成され、
前記第１フィルタの少なくとも一部は、前記第２フィルタが形成する前記空間内に位置される、請求項１又は２に記載の掃除機。
【請求項４】
前記第２フィルタの外径は、前記第１フィルタの外径より大きいものである、請求項１〜３の何れか一項に記載の掃除機。
【請求項５】
前記吸入モータは、インペラと、前記インペラに連結されるシャフトを備えてなり、
前記第１フィルタは、前記インペラ及び前記シャフトを取囲む、請求項１〜４の何れか一項に記載の掃除機。
【請求項６】
前記インペラは、前記第２フィルタが形成する前記空間の外側に位置される、請求項５に記載の掃除機。
【請求項７】
前記第１サイクロン部のサイクロン流動の軸は、前記第２フィルタが形成する前記空間を貫通するように配置される、請求項１〜６の何れか一項に記載の掃除機。
【請求項８】
外観を形成し、内部に前記吸入モータを収容するハウジングと、
前記第２フィルタを収容する収容部が形成される排出カバーとを更に備えてなる、請求項１〜７の何れか一項に記載の掃除機。
【請求項９】
前記排出カバーは、前記ハウジングに分離可能に結合され、
前記ハウジングから前記排出カバーが分離されると、前記第１フィルタが前記ハウジングの外部に露出される、請求項８に記載の掃除機。
【請求項１０】
前記第１フィルタを通過した空気は、前記吸入モータに流入する、請求項１〜９の何れか一項に記載の掃除機。
【発明の詳細な説明】
【技術分野】
【０００１】
本発明は、掃除機に関するものである。
【背景技術】
【０００２】
掃除機は、使用者が直接掃除機を移動させながら掃除を行う手動掃除機と、自ら走行しながら掃除を行う自動掃除機とに区分することができる。
【０００３】
また、手動掃除機は、掃除機の形態に応じて、キャニスター型掃除機、アップライト型掃除機、ハンディ型掃除機、スティック型掃除機などに区分することができる。
【０００４】
先行文献である韓国登録特許公報第１０-１１２７０８８号(登録日２０１２.０３.０８.)には、ハンドヘルド真空掃除機が開示される。
【０００５】
前記ハンドヘルド真空掃除機は、吸入管、気流発生器、遠心分離装置、電源およびハンドルを含む。
【０００６】
前記遠心分離装置は、ハンドルと吸入管との間に位置し、ハンドルの真上には気流発生器が配置され、ハンドルの真下には電源が配置される。従って、前記気流発生器および電源は遠心分離装置の後方に位置する。
【０００７】
上記構成のうち比較的重さが重い構成は、気流発生器と電源である。
【０００８】
先行文献によれば、重さが重い気流発生器がハンドルの真上に配置され、重さが重い電源がハンドルの真下に配置されることで、ハンドヘルド真空掃除機全体的に重心がハンドル側に片寄って、使用者がハンドヘルド真空掃除機を利用する際に不便を感じ、手首に負担がかかる問題がある。
【０００９】
また、先行文献によれば、遠心分離装置の後方に気流発生器が配置されるので、遠心分離装置から気流発生器に空気を案内するための流路が長くなり、遠心分離装置から排出された空気の流動方向が変化した状態で気流発生器に流動することになるので、流動損失が発生する問題がある。
【００１０】
また、先行文献によれば、ハンドルの真上に気流発生器が配置されるので、気流発生器から排出された空気がハンドルを握っている腕に直接排出される問題がある。
【発明の概要】
【発明が解決しようとする課題】
【００１１】
本発明の目的は、全体的に重さが配分されて使用者の便宜性が向上する掃除機を提供することにある。
【００１２】
また、本発明の目的は、埃分離部から吸入モータまでの流路の長さが最小化される掃除機を提供することにある。
【００１３】
また、本発明の目的は、吸入モータを通った空気が使用者側に吐出されることが防止される掃除機を提供することにある。
【課題を解決するための手段】
【００１４】
一側面による掃除機は、吸入部と、前記吸入部に沿って空気が吸入されるようにするための吸入力を発生させ、回転動作するインペラを含む吸入モータと、前記吸入部を介して流入した空気から埃を分離するためにサイクロン流動を発生させる１つ以上のサイクロン部を備える埃分離部と、前記埃分離部から分離した埃を貯蔵し、前記吸入モータの下方に位置するダストボックスと、前記吸入モータに電源を供給し、前記ダストボックスの後方に位置するバッテリーと、前記吸入モータの後方に配置されるハンドルとを含み、前記インペラの回転軸および前記サイクロン流動の軸は、それぞれ上下方向に延長され、前記インペラの回転軸の延長線は、前記１つ以上のサイクロン部を通過する。
【００１５】
別の側面による掃除機は、吸入部と、前記吸入部に沿って空気が吸入されるようにするための吸入力を発生させ、回転動作するインペラを含む吸入モータと、前記吸入部を介して流入した空気から埃を分離するためにサイクロン流動を発生させる１つ以上のサイクロン部を備える埃分離部と、前記埃分離部から分離した埃を貯蔵するダストボックスと、前記吸入モータに電源を供給するためのバッテリーと、前記吸入モータの後方に配置されるハンドルと、上面に前記吸入モータを通過した空気が排出される空気排出口が備えられる排出カバーとを含み、前記サイクロン流動の軸は、前記排出カバーを通過する。
【００１６】
さらに別の側面による掃除機は、長手方向の軸を有する吸入部と、前記吸入部に沿って空気が吸入されるようにするための吸入力を発生させる吸入モータと、前記吸入部の長手方向の軸が水平をなした状態で、前記吸入モータと上下方向に重なるように配置され、前記吸入部を介して流入した空気から埃を分離する埃分離部と、前記埃分離部から分離した埃を貯蔵する集塵ボディと、前記集塵ボディを開閉するボディカバーを含むダストボックスと、前記吸入モータを通った空気が排出される空気排出口とを含み、前記吸入部の長手方向の軸が水平をなした状態で、前記吸入部の長手方向の軸は、前記ボディカバーの上方に位置し、前記吸入部を介して空気が吸入される吸入方向は、前記空気排出口を介して空気が排出される排出方向と交差する。
【００１７】
さらに別の側面による掃除機は、吸入部と、前記吸入部に沿って空気が吸入されるようにするための吸入力を発生させる吸入モータと、前記吸入部を介して流入した空気から埃を分離する埃分離部と、前記埃分離部から分離した埃を貯蔵するダストボックスと、前記吸入モータに電源を供給するためのバッテリーと、前記吸入モータの後方に配置されるハンドルと、前記吸入モータの上方に位置し、前記吸入モータを通った空気が排出される空気排出口とを含む。
【００１８】
前記吸入モータは、前記埃分離部と上下方向に重なるように配置される。
【００１９】
前記吸入モータは、回転動作するインペラを含み、前記インペラの回転軸は上下方向に延長され、前記回転軸が前記埃分離部および前記ダストボックスと上下方向に重なるように配置される。
【００２０】
前記吸入モータは、回転動作するインペラを含み、前記インペラの回転軸は上下方向に延長され、前記回転軸の延長線は、前記埃分離部および前記ダストボックスを貫通するように配置される。
【００２１】
前記埃分離部は、サイクロン流動を発生させる１つ以上のサイクロン部を含み、前記インペラの回転軸と少なくとも１つのサイクロン流動の軸は、同一線上に位置する。
【００２２】
前記吸入モータを収容するモータハウジングと、少なくとも一部が前記モータハウジングの上側に位置し、前記空気排出口を備える排出カバーをさらに含む。
【００２３】
前記排出カバーには、前記空気排出口を介して排出される空気が垂直線に対して傾斜する方向に排出されるようにするための流動ガイドが備えられる。
【００２４】
前記吸入モータは、回転動作するインペラを含み、前記インペラの軸は上下方向に延長され、前記排出カバーにおいて、前記インペラの回転軸と前記ハンドルの間の少なくとも一部領域には、前記空気排出口における空気排出を遮断するためのバリアーが備えられる。
【００２５】
前記埃分離部から排出された空気が前記吸入モータに流入する前に、空気をフィルタリングするためのプレフィルタと、前記モータハウジング内に位置し、前記吸入モータを取囲み、前記埃分離部から排出された空気を前記吸入モータに案内する空気ガイドをさらに含む。
【００２６】
前記埃分離部から排出された空気は、上昇しながら前記プレフィルタを通過し、前記プレフィルタを通過した空気は、再び下降しながら前記吸入モータを通過し、前記吸入モータを通過した空気は、再び上昇しながら前記空気排出口を介して外部に排出される。
【００２７】
前記埃分離部から排出された空気は、上昇しながら前記吸入モータを通過した後、前記空気排出口を介して外部に排出される。
【発明の効果】
【００２８】
提案される発明によれば、前記ハンドルを基準に、重さが重い吸入モータがハンドルの前方に位置し、重さが重いバッテリーがハンドルの下方に位置するので、前記掃除機全体的に重さが等しく分配されて、使用者がハンドルを握って掃除をするとき、使用者の手首に負担がかかることが防止される。
【００２９】
また、吸入モータが埃分離部の上側に位置するので、埃分離部から吸入モータまでの流路の長さが最小化されるので、空気の流動損失が最小化される利点がある。
【００３０】
また、本発明によれば、吸入モータを通った空気が使用者側に吐出されることが防止される。
【図面の簡単な説明】
【００３１】
【図１】本発明の一実施例に係る掃除機の斜視図。
【図２】本発明の一実施例に係る掃除機の側面図。
【図３】本発明の一実施例に係る掃除機の平面図。
【図４】本発明の一実施例に係る掃除機の断面図。
【図５】本発明の一実施例に係る掃除機の横断面図。
【図６】本発明の一実施例に係る掃除機から排出カバーとフィルタが分離された状態を示す図面。
【図７】排出カバーにHEPAフィルタが収容されるための構造を示す図面。
【図８】本発明の一実施例に係る掃除機内における空気流動を示す図面。
【図９】本発明の一実施例に係る掃除機の下側構造を示す図面。
【図１０】本発明の一実施例に係るボディカバーの斜視図。
【図１１】図９におけるボディカバーが回転した状態を示す図面。
【図１２】本発明の一実施例に係るバッテリーがバッテリーハウジングから分離された様子を示す図面。
【図１３】本発明の一実施例に係るバッテリーの斜視図。
【図１４】本発明の一実施例に係るバッテリーハウジングの結合溝を示す図面。
【図１５】本発明の掃除機に吸入ノズルを連結して床を掃除する様子を示す図面。
【図１６】本発明の別の実施例に係る掃除機を示す図面。
【図１７】本発明のさらに別の実施例に係る掃除機内における空気流動を示す図面。
【図１８】本発明のさらに別の実施例に係る掃除機内における空気流動を示す図面。
【発明を実施するための形態】
【００３２】
以下、本発明の一部実施例を例示的な図面を参照して詳細に説明する。各図面において、同じ構成要素に対しては同じ符号を付する。また、本発明の実施例の説明において、係る公知構成または機能に対する具体的な説明が、本発明の実施例の理解を妨害すると判断される場合には、その詳細な説明は省略する。
【００３３】
また、本発明の実施例の構成要素の説明において、第１、第２、Ａ、Ｂ、(ａ)、(ｂ)等の用語を用いることができる。このような用語は、その構成要素を他の構成要素と区別するためのものであり、その用語によって当該構成要素の本質または順序などが限定されるものではない。ある構成要素が他の構成要素に「連結」、「結合」または「接続」されると記載された場合、その構成要素は他の構成要素に直接的に連結または接続される場合と、各構成要素の間にさらに他の構成要素が「連結」、「結合」または「接続」される場合を全て含む。
【００３４】
図１は本発明の一実施例に係る掃除機の斜視図であり、図２は本発明の一実施例に係る掃除機の側面図であり、図３は本発明の一実施例に係る掃除機の平面図である。
【００３５】
図４は本発明の一実施例に係る掃除機の縦断面図であり、図５は本発明の一実施例に係る掃除機の横断面図である。
【００３６】
図１〜図５を参照すると、本発明の一実施例に係る掃除機１は、本体２を含むことができる。
【００３７】
前記本体２は、埃を含む空気が吸入される吸入部５を含むことができる。
【００３８】
また、前記本体２は、前記吸入部５を介して内部に吸入された埃を分離するための埃分離部１０と、前記埃分離部１０から分離された埃を貯蔵するためのダストボックス５０をさらに含むことができる。
【００３９】
前記埃分離部１０は、一例として、サイクロン流動によって埃を分離できる第１サイクロン部１１０を含むことができる。
【００４０】
前記第１サイクロン部１１０は、前記吸入部５と連通することができる。
【００４１】
前記吸入部５を介して吸入される空気と埃は、前記第１サイクロン部１１０の内周面に沿って螺旋流動することになる。
【００４２】
前記第１サイクロン部１１０のサイクロン流動の軸Ａ２は、上下方向に延長される。
【００４３】
前記埃分離部１０は、前記第１サイクロン部１１０から排出された空気から埃を再度分離する第２サイクロン部１３０をさらに含むことができる。このとき、前記埃分離部１０の大きさが最小化されるように、前記第２サイクロン部１３０は、前記第１サイクロン部１１０の内部に位置する。前記第２サイクロン部１３０は、並列に配置される複数のサイクロンボディを含むことができる。そして、前記各サイクロンボディから発生するサイクロン流動の軸は上下方向に延長され、吸入モータ２３０を通過することができる。
【００４４】
別の例として、前記埃分離部が単一サイクロン部を有してもよく、この場合にも前記サイクロン流動の軸Ａ２は上下方向に延長される。
【００４５】
前記ダストボックス５０は、円筒状の集塵ボディ５１０と、前記集塵ボディ５１０の下側に回転可能に結合されるボディカバー５２０を含むことができる。
【００４６】
前記吸入部５の長手方向の軸Ａ３は、前記吸入部５の長手方向の軸Ａ３が水平をなした状態で、前記ボディカバー５２０の上方に位置する。
【００４７】
本実施例では、前記第１サイクロン部１１０が別途に存在せず、前記集塵ボディ５１０の上側部が第１サイクロン部１１０の役割をしてもよい。
【００４８】
前記第２サイクロン部１３０の少なくとも一部は、前記ダストボックス５０内に位置してもよい。
【００４９】
前記集塵ボディ５１０内には、前記第２サイクロン部１３０から分離された埃を貯蔵をガイドする埃貯蔵ガイド５０４が配置される。前記埃貯蔵ガイド５０４は、前記第２サイクロン部１３０の下側に結合され、前記ボディカバー５２０の上面に接触することができる。
【００５０】
前記埃貯蔵ガイド５０４は、前記集塵ボディ５１０の内部の空間を前記第１サイクロン部１１０から分離された埃が貯蔵される第１埃貯蔵部５０２と、前記第２サイクロン部１３０から分離された埃が貯蔵される第２埃貯蔵部５０６とに区画することができる。
【００５１】
前記埃貯蔵ガイド５０４の内部空間が前記第２埃貯蔵部５０６であり、前記埃貯蔵ガイド５０４と前記集塵ボディ５１０との間の空間が第１埃貯蔵部５０２である。
【００５２】
前記ボディカバー５２０は、前記第１埃貯蔵部５０２と前記第２埃貯蔵部５０６を一緒に開閉することができる。
【００５３】
前記ボディカバー５２０は、前記第１埃貯蔵部５０２内に貯蔵された埃がサイクロン流動によって回転することを防止するためのリブ５２１が備えられる。前記リブ５２１は、前記ボディカバー５２０から上方に延長される。前記ボディカバー５２０が前記第１および第２埃貯蔵部５０２、５０６をカバーした状態で、前記リブ５２１は、前記集塵ボディ５１０の内周面と隣接するように位置する。
【００５４】
サイクロン流動は、前記集塵ボディ５１０の内周面に沿って前記第１埃貯蔵部５０２側を流動するので、前記リブ５２１が前記集塵ボディ５１０の内周面と隣接するように位置すると、サイクロン流動が前記リブ５２１によって崩れ、前記第１埃貯蔵部５０２に貯蔵された埃が回転することが防止される。
【００５５】
前記本体２は、吸入力を発生させるための吸入力発生ユニット２０をさらに含むことができる。前記吸入力発生ユニット２０は、モータハウジング２１０と、前記モータハウジング２１０の内部に収容される吸入モータ２３０を含むことができる。
【００５６】
そして、前記吸入モータ２３０の少なくとも一部は、前記埃分離部１０の上側に位置する。従って、前記吸入モータ２３０は、前記ダストボックス５０の上方に位置する。
【００５７】
即ち、前記吸入部５の長手方向の軸が水平をなした状態で、前記埃分離部１０は、前記吸入モータ２３０と上下方向に重なるように配置される。一例として、前記吸入モータ２
３０の一部は、前記第１サイクロン部１１０の内部に位置する。
【００５８】
前記吸入モータ２３０の下側は、前記第２サイクロン部１３０の上側に連結される。従って、前記埃分離部１０のサイクロン流動の軸Ａ２は、前記吸入モータ２３０を貫通することができる。そして、前記吸入モータ２３０は、前記吸入部５の長手方向の軸Ａ３より高く位置する。
【００５９】
前記吸入モータ２３０が前記第２サイクロン部１３０の上側に位置すると、前記第２サイクロン部１３０から排出された空気が直ちに前記吸入モータ２３０側に流動でき、前記埃分離部１０と前記吸入モータ２３０との間の流路が最小化する。
【００６０】
前記吸入モータ２３０は、回転動作するインペラ２３２を含むことができる。前記インペラ２３２は、シャフト２３３に連結される。前記シャフト２３３は、上下方向に延長されるように配置され、少なくとも一部が前記埃分離部１０の内部に位置する。この場合、前記ダストボックス５０と前記吸入モータ２３０を上下に配置するとき、前記掃除機１の高さを減らすことができる利点がある。前記インペラ２３２の回転軸Ａ１(或いは吸入モ
ータの軸)の延長線は、前記埃分離部１０および前記ダストボックス５０を通過すること
ができる。
【００６１】
このとき、前記インペラ２３２の回転軸Ａ１と前記埃分離部１０の第１サイクロン部１１０から発生するサイクロン流動の軸Ａ２は、同一線上に位置する。
【００６２】
本発明によれば、前記埃分離部から排出された空気、即ち、第２サイクロン部１３０から上方に排出された空気が前記吸入モータ２３０側に流動する経路が減り、空気の方向変化が減少し、空気の流動損失が減る利点がある。
【００６３】
空気の流動損失が減る場合、吸入力が増加し、前記吸入モータ２３０に電源を供給するためのバッテリー４０の使用時間が増加する。
【００６４】
前記吸入モータ２３０と前記第２サイクロン部１３０との間には、前記吸入モータ２３０を制御のためのＰＣＢ２５０が位置する。
【００６５】
前記掃除機１は、使用者が把持するためのハンドル３０と、前記吸入モータ２３０に電源を供給するためのバッテリー４０をさらに含むことができる。
【００６６】
前記ハンドル３０は、前記吸入モータ２０の後方に位置する。従って、前記吸入モータ２３０の軸は、前記吸入部５と前記ハンドル３０との間に位置する。
【００６７】
方向に対して定義すると、前記掃除機１において前記吸入モータ２３０を基準に、前記吸入部５が位置する方向が前方であり、前記ハンドル３０が位置する方向が後方である。
【００６８】
前記バッテリー４０は、前記ハンドル３０の下方に位置する。また、前記バッテリー４０は、前記ダストボックス５０の後方に位置する。
【００６９】
従って、前記吸入モータ２３０と前記バッテリー４０は、上下方向に重ならないように配置され、配置高さも異なるように配置される。
【００７０】
このような本発明によれば、前記ハンドル３０を基準に、重さが重い吸入モータ２３０が前記ハンドル３０の前方に位置し、重さが重いバッテリー４０が前記ハンドル３０の下方に位置するので、前記掃除機１全体的に重さが等しく分配される。使用者が前記ハンド
ル３０を把持して掃除をするとき、使用者の手首に負担がかかることが防止される。即ち、掃除機１の前面と後方に重さが重い構成が分散して配置され、かつ相互異なる高さに配置されるので、掃除機１の重心がある片側に片寄ることが防止される。
【００７１】
前記バッテリー４０が前記ハンドル３０の下方に位置し、前記吸入モータ２３０が前記ハンドル３０の前方に位置するので、前記ハンドル３０の上方には何の構成も存在しなくなる。即ち、前記ハンドル３０の上面は、前記掃除機１の上面一部外観を形成する。
【００７２】
従って、前記ハンドル３０を把持して使用する過程で、掃除機１の一部構成が使用者の腕に接触することが防止される。
【００７３】
前記ハンドル３０は、上下方向に延長され、使用者が把持できる第１延長部３１０と、前記第１延長部３１０の上側で前記吸入モータ２３０に向かって延長される第２延長部３２０を含むことができる。前記第２延長部３２０は、少なくとも一部が水平方向に延長される。
【００７４】
前記第１延長部３１０には使用者が前記第１延長部３１０を把持した状態で手が前記第１延長部３１０の長手方向(図２には上下方向)に移動することを防止するための移動制限部３１２が備えられる。前記移動制限部３１２は、前記第１延長部３１０から前記吸入部５に向かって延長される。
【００７５】
前記移動制限部３１２は、前記第２延長部３２０と離隔して配置される。従って、前記第１延長部３１０を把持した状態で一部指は、前記移動制限部３１２の上方に位置し、残りの指は、前記移動制限部３１２の下方に位置する。
【００７６】
一例として、人差し指と中指の間に前記移動制限部３１２が位置する。
【００７７】
本発明で、前記吸入部５の長手方向の軸Ａ３は、前記第１延長部３１０を通る。このとき、前記移動制限部３１２は、前記吸入部５の長手方向の軸Ａ３より高く位置する。
【００７８】
このような配置によれば、使用者が前記第１延長部３１０を把持した状態で、前記吸入部５の長手方向の軸Ａ３が使用者の手首を通ることができる。
【００７９】
前記吸入部５の長手方向の軸Ａ３が使用者の手首を通る場合、使用者の腕が伸ばされた状態で、前記吸入部５の長手方向の軸Ａ３は使用者の腕の延長方向と実質的に並ぶことになる。従って、このような状態では、使用者が前記ハンドル３０を把持して掃除機１を押し引きするとき必要な使用者の力が最小化される利点がある。
【００８０】
前記ハンドル３１０は、操作部３１６が位置する傾斜面３１５を含むことができる。前記操作部３１６を介して掃除機のオン命令およびオフ命令を入力することができる。前記傾斜面３１５は、使用者を向かうように配置される。一例として、前記傾斜面３１５は、前記第２延長部３１４の後面に位置する。前記ハンドル３０を基準に、前記操作部３１６は、前記移動制限部３１２の反対側に位置する。前記傾斜面３１５に位置した前記操作部３１６は、前記移動制限部３１２より高く位置する。従って、使用者が前記第１延長部３１０を把持した状態で親指で簡単に前記操作部３１６を操作することができる。
【００８１】
また、前記第１延長部３１０から外れた位置に前記操作部３１６が位置するので、前記第１延長部３１０を把持した状態で掃除を行うとき、意図せず前記操作部３１６が操作されることが防止される。
【００８２】
前記第２延長部３１４には作動状態を表示するための表示部３１８が備えられる。前記表示部３１８は、一例として、前記第２延長部３１４の上面に位置する。従って、使用者が掃除を行う過程で前記第２延長部３１４の上面に位置した表示部３１８を簡単に確認することができる。
【００８３】
前記表示部３１８は、制限的ではないが、多数の発光部を含むことができる。前記多数の発光部は、前記第２延長部３１４の長手方向に離隔して配列されることができる。
【００８４】
一方、前記ハンドル３０の下側にはバッテリーハウジング４１０が備えられ、前記バッテリーハウジング４１０の内部に前記バッテリー４０が収容される。即ち、前記第１延長部３１０の下側に前記バッテリーハウジング４１０が位置する。
【００８５】
前記バッテリー４０は、前記バッテリーハウジング４１０に分離可能に結合される。一例として、前記バッテリー４０は、前記バッテリーハウジング４１０の下方から前記バッテリーハウジング４１０の内部に挿入される。
【００８６】
前記バッテリーハウジング４１０には、前記バッテリー４０から発生する熱を外部に排出させるための放熱ホール４１２が形成される。
【００８７】
前記バッテリーハウジング４１０の後面と前記第１延長部３１０の後面は連続的な面を形成することができる。従って、前記バッテリーハウジング４１０と前記第１延長部３１０が一体感を有することができる。
【００８８】
一方、図３を参照すると、前記掃除機１は、前記吸入モータ２３０を通った空気が排出される空気排出口２１２を有する排出カバー２１１を含むことができる。前記排出カバー２１１には空気をフィルタリングするためのHEPAフィルタ２４６が収容される。前記サイクロン流動の軸Ａ２は、前記排出カバー２１１を通過することができる。前記空気排出口２１２は、一例として、前記インペラ２３２の回転軸Ａ１を取囲むように配置される。このとき、前記空気排出口２１２を介して排出される空気が前記インペラ２３２の回転軸Ａ１を基準に傾斜する方向に排出されるように、前記排出カバー２１０には流動ガイド２１３が備えられる。前記吸入部５を介して空気が吸入される吸入方向は、前記空気排出口２１２を介して空気が排出される排出方向と交差する。
【００８９】
前記空気排出口２１２から排出される空気が使用者側に流動することが防止されるように、図３を基準に、前記インペラ２３２の回転軸Ａ１と前記ハンドル３０との間の少なくとも一部領域には空気排出口が形成されなくてもよい。即ち、前記掃除機を前記サイクロン流動の軸Ａ２を中心に前後に区分するとき、前記空気排出口２１２の少なくとも一部は、前記サイクロン流動の軸Ａ２の前方に位置する。
【００９０】
別の例として、図３を基準に、前記インペラ２３２の回転軸Ａ１と前記ハンドル３０との間の少なくとも一部領域には空気排出口２１２における空気排出を遮断するためのバリアーが備えられる。
【００９１】
図６は本発明の一実施例に係る掃除機から排出カバーとフィルタが分離された状態を示す図面であり、図７は排出カバーにHEPAフィルタが収容されるための構造を示す図面である。
【００９２】
図４、図６および図７を参照すると、前記掃除機１は、前記吸入モータ２３０に流入する空気をフィルタリングするためのプレフィルタ２４２をさらに含むことができる。
【００９３】
前記プレフィルタ２４２は、前記吸入モータ２３０の一部を取囲むように配置される。そして、前記インペラ２３２の回転軸Ａ１は、前記プレフィルタ２４２を貫通することができる。
【００９４】
前記プレフィルタ２４２を通過した空気は、前記吸入モータ２３０のインペラ２３２側に流動した後前記吸入モータ２３０を通過し、前記HEPAフィルタ２４６を通過した後最終的に前記空気排出口２１２を介して外部に排出される。
【００９５】
本発明で、掃除機１がプレフィルタ２４２とHEPAフィルタ２４６を含むと説明したが、フィルタの種類および個数は、制限されるものではない。本明細書では、前記プレフィルタ２４２を第１フィルタとし、前記HEPAフィルタ２４６を第２フィルタとすることができる。
【００９６】
前記排出カバー２１１は、前記HEPAフィルタ２４６を収容するための収容部２１４を含むことができる。前記収容部２１４は、下側が開口されるように形成され、前記排出カバー２１１の下側で前記HEPAフィルタ２４６が前記収容部２１４に収容される。
【００９７】
そして、前記排出カバー２１１において、前記HEPAフィルタ２４６と対向するように前記空気排出口２１２が形成される。
【００９８】
前記HEPAフィルタ２４６が前記収容部２１４に収容された状態で、前記HEPAフィルタ２４６はフィルタカバー２４４によってカバーされる。前記フィルタカバー２４４には空気が貫通するための１つ以上の開口２４４ａが備えられる。前記フィルタカバー２４４は、前記排出カバー２１１に分離可能に結合される。
【００９９】
前記排出カバー２１１は、前記モータハウジング２１０と分離可能に結合される。従って、前記HEPAフィルタ２４６を掃除するために前記排出カバー２１１を前記モータハウジング２１０から分離することができる。前記モータハウジング２１０と分離された排出カバー２１１から前記フィルタカバー２４４を前記排出カバー２１１から分離すると、前記HEPAフィルタ２４６を前記収容部２１４から取り出すことができる。
【０１００】
前記排出カバー２１１が前記モータハウジング２１０から分離された状態で、前記プレフィルタ２４２が外部に露出される。従って、使用者は外部に露出された前記プレフィルタ２４２を前記モータハウジング２１０から分離して、前記プレフィルタ２４２を掃除することができる。
【０１０１】
本発明によれば、前記排出カバー２１１を前記モータハウジング２１０から分離することで、使用者が前記HEPAフィルタ２４６およびプレフィルタ２４２に接近できるので、使用者が簡単にフィルタ２４２、２４６を分離して掃除できる利点がある。
【０１０２】
図８は、本発明の一実施例に係る掃除機内における空気流動を示す図面である。
【０１０３】
図８を参照して、前記掃除機１における空気流動に対して説明する。
【０１０４】
前記吸入モータ２３０の作動によって前記吸入部５を介して吸入された空気と埃は、前記第１サイクロン部１１０の内周面に沿って流動しながら相互分離される。
【０１０５】
空気と分離された埃は、下方へと流動して前記第１埃貯蔵部５０２に貯蔵される。埃と分離された空気は、前記第２サイクロン部１３０に流動する。前記第２サイクロン部１３０に流動した空気は、再度埃と分離される。
【０１０６】
前記第２サイクロン部１３０で空気と分離された埃は、下方へと流動して前記第２埃貯蔵部５０６に貯蔵される。反面、前記第２サイクロン部１３０で埃と分離された空気は、前記第２サイクロン部１３０から排出されて前記吸入モータ２３０側に上昇する。
【０１０７】
このとき、前記吸入モータ２３０の外側には、前記第２サイクロン部１３０から排出された空気を前記プレフィルタ２４２側に案内するための空気ガイド２１５が備えられる。前記空気ガイド２１５は、前記吸入モータ２３０の外側を取囲み、前記空気ガイド２１５の少なくとも一部は、前記吸入モータ２３０と離隔して配置される。
【０１０８】
従って、空気は、前記吸入モータ２３０の外側の前記空気ガイド２１５に沿って上昇した後、前記プレフィルタ２４２を通過する。前記プレフィルタ２４２を通過した空気は、前記吸入モータ２３０を通過する。空気は、前記インペラ２３２によって前記吸入モータ２３０の内部を流動した後、前記空気ガイド２１５と前記モータハウジング２１０との間の排気流路２１６から排出される。
【０１０９】
そして、前記排気流路２１６から排出された空気は、前記HEPAフィルタ２４６を通った後、前記排出カバー２１０の空気排出口２１２を介して外部に排出される。
【０１１０】
図９は本発明の一実施例に係る掃除機の下側構造を示す図面であり、図１０は本発明の一実施例に係るボディカバーの斜視図であり、図１１は図９におけるボディカバーが回転した状態を示す図面である。
【０１１１】
図９〜図１１を参照すると、前記ボディカバー５２０は、回転動作によって前記集塵ボディ５１０の下側を開閉することができる。
【０１１２】
前記ボディカバー５２０は、回転のためのヒンジ５２２を含むことができる。前記ヒンジ５２２は、前記集塵ボディ５１０に結合されるか、前記集塵ボディ５１０と別途に存在するヒンジ結合部４２０に結合される。前記ヒンジ結合部４２０が前記集塵ボディ５１０と別途の構成である場合、前記ヒンジ結合部４２０は、前記集塵ボディ５１０に結合される。
【０１１３】
前記ボディカバー５２０のヒンジ５２２は、前記サイクロン流動の軸Ａ２と前記バッテリー４０との間に位置する。
【０１１４】
従って、前記ヒンジ５２２によって前記ボディカバー５２０が回転するとき、図１１のように前記ボディカバー５２０は使用者と近くなる方向に回転する。
【０１１５】
前記ボディカバー５２０が使用者と近くなる方向に回転すると、前記ボディカバー５２０が回転して前記集塵ボディ５１０内に貯蔵された埃が落下するとき、前記ボディカバー５２０は埃が使用者側に流動することを遮断する。
【０１１６】
前記ボディカバー５２０には、使用者の操作によって移動でき、前記集塵ボディ５１０に結合されるための結合レバー５５０が備えられる。前記結合レバー５５０は、一例として、前記吸入部５の長手方向の軸Ａ３と並ぶ方向に前記ボディカバー５５０に結合される。
【０１１７】
前記ボディカバー５２０は、前記結合レバー５５０の移動をガイドすることができ、前記結合レバー５５０が下方に離脱することを防止する第１ガイド５２４を含むことができる。前記第１ガイド５２４は、前記ボディカバー５２０の底で下方に延長され、前記第１
ガイド５２４の少なくとも一部は、前記結合レバー５５０の下側に位置する。
【０１１８】
前記ボディカバー５２０は、前記結合レバー５５０の移動をガイドすることができ、前記結合レバー５５０が下方に離脱することを防止するための第２ガイド５２６をさらに含むことができる。前記第２ガイド５２６は、前記ボディカバー５２０の側面から突出し、前記結合レバー５５０を貫通することができる。
【０１１９】
このとき、前記第２ガイド５２６は、前記吸入部５の長手方向の軸Ａ３と並ぶ方向に前記結合レバー５５０を貫通することができる。前記結合レバー５５０には、前記第２ガイド５５４が貫通するためのホール５５６が形成される。
【０１２０】
前記結合レバー５５０は、使用者が容易に前記結合レバー５５０を操作できるように指をかけるための輪５５２を含むことができる。このとき、使用者が輪５５２に簡単に接近できるように、前記輪５５２は、前記ボディカバー５２０のヒンジ５２２と前記サイクロン流動の軸Ａ２の間に位置する。
【０１２１】
前記結合レバー５５０は、結合フック５５６を含み、前記集塵ボディ５１０は、前記結合フック５５６が結合されるフック結合スロット５１４を含むことができる。
【０１２２】
前記結合フック５５６は、前記集塵ボディ５１０の内側に位置された状態で、前記フック結合スロット５１４に結合される。図示されていないが、前記ボディカバー５２０と前記結合レバー５５０との間には、前記結合フック５５６が前記フック結合スロット５１４に係合された状態が維持されるように、前記結合レバー５５０に弾性力を提供する弾性部材が配置される。
【０１２３】
使用者が前記結合レバー５５０の輪５５２を使用者側に引くと、前記フック結合スロット５１４から前記結合フック５５６が抜け、前記ボディカバー５２０が回転することができる。
【０１２４】
一方、前記ヒンジ結合部４２０は、前記バッテリー４０が前記バッテリーハウジング４１０に装着された状態で、前記バッテリー４０を充電させるための本体端子６００をさらに含むことができる。前記掃除機１を図示されていない充電台に安着させると、前記充電台の端子が前記本体端子６００と接触することができる。
【０１２５】
前記本体端子６００は、前記ヒンジ結合部４２０の下面に位置し、かつ前記掃除機１を床に置いた状態で床と離隔することができる。この場合、前記本体端子６００の損傷が防止される。
【０１２６】
図１２は本発明の一実施例に係るバッテリーがバッテリーハウジングから分離された様子を示す図面であり、図１３は本発明の一実施例に係るバッテリーの斜視図であり、図１４は本発明の一実施例に係るバッテリーハウジングの結合溝を示す図面である。
【０１２７】
図９、図１２〜図１４を参照すると、前記バッテリー４０は、図示されていないバッテリーセルと、前記バッテリーセルを保護するフレーム４５０を含むことができる。
【０１２８】
前記フレーム４５０の上側には突出部４６０が形成され、前記突出部４６０に端子４６２が配置される。
【０１２９】
前記バッテリー４０は、多数の結合部４７０、４８０をさらに含むことができる。前記多数の結合部４７０、４８０は、前記フレーム４５０の一側に配置される第１結合部４７
０と、前記フレーム４５０の他側に配置される第２結合部４８０を含むことができる。前記第１結合部４７０と前記第２結合部４８０は、一例として相互反対側に位置する。
【０１３０】
前記第１結合部４７０は、前記フレーム４５０に回転可能に結合されるフックからなることができる。
【０１３１】
前記第１結合部４７０は、一例として、前記バッテリー４０が前記バッテリーハウジング４１０に収容された状態で、前記ヒンジ結合部４２０に結合される。従って、前記ヒンジ結合部４２０をバッテリー結合部と称することもできる。
【０１３２】
前記ヒンジ結合部４２０には、前記第１結合部４７０の一部が係合されるための係止リブ４２２が形成される。
【０１３３】
別の例として、前記ヒンジ結合部４２０が前記バッテリーハウジング４１０と一体形成されてもよく、前記バッテリーハウジング４１０そのものに前記係止リブ４２２が形成されてもよい。
【０１３４】
前記第２結合部４８０は、前記フレーム４５０と一体形成され、外力によって弾性変形できるフックからなることができる。
【０１３５】
前記バッテリーハウジング４１０の下側には、前記バッテリー４０が挿入されるための開口４１１が形成される。前記バッテリー４０が前記バッテリーハウジング４１０に収容された状態で、前記第２結合部４８０を操作できるように、前記第２結合部４８０が外部に露出するようにする露出開口４１５が形成される。
【０１３６】
そして、前記バッテリーハウジング４１０において、前記露出開口４１５の上方には前記第２結合部４８０が結合されるための結合溝４１６が形成される。
【０１３７】
前記バッテリー４０が前記バッテリーハウジング４１０に収容された状態で、前記ダストボックス５０と前記第１結合部４７０との間には、前記第１結合部４７０を操作するための空間５３０が形成される。
【０１３８】
従って、使用者は、前記空間５３０に指を挿入して前記第１結合部４７０と前記係止リブ４２２の係合を解除することができる。また、使用者は、前記バッテリーハウジング４１０の外側に露出した前記第２結合部４８０を操作して、前記第２結合部４８０と前記バッテリーハウジング４１０の結合を解除することができる。
【０１３９】
本発明によれば、前記バッテリー４０を前記バッテリーハウジング４１０から分離することできるので、前記バッテリー４０のみを充電台に安着させて充電することができる。
【０１４０】
また、前記掃除機１が本体端子６００を含むので、前記バッテリー４０が前記バッテリーハウジング４１０に収容された状態で、前記掃除機１を前記充電台に安着させてバッテリー４０を充電することができる。
【０１４１】
図１５は本発明の掃除機に吸入ノズルを連結して床を掃除する様子を示す図面である。
【０１４２】
図１５を参照すると、本発明の掃除機１の吸入部５に吸入ノズル７１０が下側に連結された延長管７００が連結される。
【０１４３】
この状態で、使用者は、前記吸入ノズル７１０を床に置いた状態で吸入ノズル７１０を
移動させながら掃除することができる。
【０１４４】
本発明では、吸入ノズル７１０を利用して掃除する場合、前記延長管７００と床がなす角度が略４５度でる状態で、前記延長管７００と床の角度が増減しながら掃除が行われる。
【０１４５】
図１５のような状態で、前記ダストボックス５０の最下端部を貫通する垂直線VLを基準に、前記吸入モータ２３０と前記バッテリー４０は相互反対側に位置する。即ち、前記垂直線VLの一側(例えば、垂直線VLの前方)に前記吸入モータ２３０が位置し、他側(例えば
、垂直線VLの後方)に前記バッテリー４０が配置される。そして、前記垂直線VLは、前記
ハンドル３０を通過することができる。
【０１４６】
また、図１５のような状態で、床からの前記吸入モータ２３０と前記バッテリー４０の高さはほぼ同一である。
【０１４７】
従って、前記ハンドル３０を把持した状態で床を掃除するとき、掃除機の重さがハンドルを把持した使用者の手を基準に前後均衡となり重さバランスをなすことになる。この場合、使用者が少ない力で前記掃除機１を利用して掃除することができ、使用者の手首に負担がかかることが防止される。
【０１４８】
また、図１５のように、床を掃除する過程で、前記排出カバー２１１は前記垂直線VLの前方に位置し、ハンドルを把持した使用者の手は前記垂直線VLの後方に位置する。従って、前記排出カバー２１１から排出された空気は、前記ハンドル３０から遠くなる方向に流動するので、前記排出カバー２１１から排出された空気が使用者手に流動することが防止される。
【０１４９】
勿論、前記延長管７００と床がなす角度によって、垂直線VLを基準に前記吸入モータ３０の一部のみが前記バッテリー４０の反対側に位置してもよい。このような場合は、窓枠やソファなどの特殊空間を掃除する場合である。
【０１５０】
図１６は、本発明の別の実施例に係る掃除機を示す図面である。
【０１５１】
本実施例は、他の部分においては前の実施例と同一であるが、排出カバーの形態において差がある。よって、以下では、本実施例の特徴的な部分に対してのみ説明することにする。
【０１５２】
図１６を参照すると、本実施例の排出カバー２１１ａは、空気排出をカイドする流動ガイド２１３ａが備えられる。
【０１５３】
具体的に、前記排出カバー２１１ａの円周方向に沿って多数の流動ガイド２１３ａが離隔して配置される。そして、前記多数の流動ガイド２１３ａの間の離隔した空間が空気排出口２１２ａの役割をする。
【０１５４】
前記多数の流動ガイド２１３ａは、垂直線を基準に傾斜するように配置される。
【０１５５】
本実施例によっても、吸入ノズルを利用して床を掃除する過程で、空気排出口２１２ａから排出された空気が使用者側に流動することが防止される。
【０１５６】
また、前記排出カバー２１１ａが前記掃除機の上側に配置されるので、前記空気排出口２１２ａから排出される空気によって掃除機周辺の埃が飛散することが防止される。
【０１５７】
図１７は、本発明のさらに別の実施例に係る掃除機内における空気流動を示す図面である。
【０１５８】
本実施例は、他の部分においては前の実施例と同一であるが、埃流動ガイドの構造において差がある。よって、以下では、本実施例の特徴的な部分に対してのみ説明することにする。
【０１５９】
図１７を参照すると、本実施例の埃流動ガイド５０４の少なくとも一部は、上側から下側に向かうほど直径が減るように形成される。一例として、前記埃流動ガイド５０４の上側部一部が下側に向かうほど直径が減るように形成される。
【０１６０】
そして、前記埃流動ガイド５０４は、前記埃流動ガイド５０４の上端から下方に延長される飛散防止リブ５０４ａを含むことができる。前記飛散防止リブ５０４ａは、一例として、円筒状に形成され、前記埃流動ガイド５０４の上側部の周りを取囲むことができる。
【０１６１】
このとき、前記埃流動ガイド５０４の上側部が下側に向かうほど直径が減るので、前記埃流動ガイド５０４の上側部の外回面と飛散防止リブ５０４ａとの間には空間が形成される。
【０１６２】
前の実施例で説明したように、サイクロン流動は、前記集塵ボディ５１０の内周面に沿って流動しながら下降することができる。サイクロン流動が下降する過程で、前記サイクロン流動が前記ボディカバー５２０のリブ５２１と接触すると、回転流動が前記リブ５２１によって上昇流動に変化する。もし、前記第１埃貯蔵部５０２内に上昇流動が存在する場合、前記第１埃貯蔵部５０２に貯蔵された埃が飛散して前記第２サイクロン部１３０側に逆流する問題がある。
【０１６３】
本発明の場合、前記第１埃貯蔵部５０２内の上昇流動は、前記飛散防止リブ５０４ａと前記埃流動ガイド５０４の上側部との間の空間で前記飛散防止リブ５０４ａによって再び下降流動に変化するので、前記第１埃貯蔵部５０２に貯蔵された埃の飛散が防止され、これによって、埃が前記第２サイクロン部１３０側に逆流する問題が防止される。
【０１６４】
一方、前記飛散防止リブ５０４ａは、前記埃流動ガイド５０４の上端から下方に延長されるので、前記サイクロン流動と共に前記第１サイクロン部１１０から分離された埃は、前記飛散防止リブ５０４ａによって前記第１埃貯蔵部５０２に円滑に移動することができる。
【０１６５】
図１８は、本発明のさらに別の実施例に係る掃除機内における空気流動を示す図面である。
【０１６６】
本実施例は、他の部分においては前の実施例と同一であるが、吸入モータのインペラ配置に差がある。よって、以下では、本実施例の特徴的な部分に対してのみ説明することにする。
【０１６７】
図８および図１８を参照すると、本実施例の吸入モータ２３０ａは、インペラ２３２ａが下側に位置するようにモータハウジング内に配置される。即ち、前記吸入モータ２３０ａの空気入口が第２サイクロン部１３０を向かうように配置される。
【０１６８】
本実施例によれば、第２サイクロン部１３０から排出された空気は、直ちに上昇して前記インペラ２３２ａ側に流動し、前記インペラ２３２ａを通過した空気は、再び上昇しな
がら前記掃除機から排出される。
【０１６９】
このような吸入モータの配置によれば、前記第２サイクロン部１３０から排出された空気が前記掃除機外部に排出される時までの空気流路が最小化されるので、流動損失が最小化される利点がある。
【図１】
2020096898.tif 000003
【図２】
2020096898.tif 000004
【図３】
2020096898.tif 000005
【図４】
2020096898.tif 000006
【図５】
2020096898.tif 000007
【図６】
2020096898.tif 000008
【図７】
2020096898.tif 000009
【図８】
2020096898.tif 000010
【図９】
2020096898.tif 000011
【図１０】
2020096898.tif 000012
【図１１】
2020096898.tif 000013
【図１２】
2020096898.tif 000014
【図１３】
2020096898.tif 000015
【図１４】
2020096898.tif 000016
【図１５】
2020096898.tif 000017
【図１６】
2020096898.tif 000018
【図１７】
2020096898.tif 000019
【図１８】
2020096898.tif 000020